(57)【特許請求の範囲】
【請求項１】
それぞれ金属箔に活物質層を設けた正極及び負極の電極シートを、セパレータを介在させて積層してなる電極体であって、前記電極体の端部から突出する前記正極及び負極の電極シートが、それぞれ正極及び負極の電極リードを構成する電極体と、
前記電極体の前記端部と対向するように配置された接続部を有する集電体と
を備え、
前記電極リードを構成する前記電極シートは、前記電極リードの前記電極体の前記端部からの突出方向に押し潰され、
前記押し潰された電極シートの側面が前記集電体の前記接続部に溶接されており、
前記電極体は、前記正極及び負極の電極シートを前記セパレータを介在するように重ね合わせて巻回軸回りに巻回してなり、互いに対向する一対の直線部と、これらの直線部を接続するように互いに対向する一対の湾曲部とを備え、
前記集電体の前記接続部は、前記巻回軸方向から見て前記湾曲部を覆うが前記直線部を露出させるように、前記電極体の前記端部に対して配置されている、蓄電素子。
【請求項２】
それぞれ金属箔に活物質層を設けた正極及び負極の電極シートを、セパレータを介在させて積層してなる電極体であって、前記電極体の端部から突出する前記正極及び負極の電極シートが、それぞれ正極及び負極の電極リードを構成する電極体と、
前記電極体の前記端部と対向するように配置された接続部を有する集電体と
を備え、
前記電極リードを構成する前記電極シートは、前記電極リードの前記電極体の前記端部からの突出方向に押し潰され、
前記押し潰された電極シートの側面が前記集電体の前記接続部に溶接されており、
前記電極体は、前記正極及び負極の電極シートを前記セパレータを介在するように重ね合わせて巻回軸回りに巻回してなり、互いに対向する一対の直線部と、これらの直線部を接続するように互いに対向する一対の湾曲部とを備え、
前記電極体は前記直線部及び前記湾曲部で囲まれた中央隙間部を有し、
前記集電体の前記接続部は、前記中央隙間部を開放するように、前記電極体の前記端部に対して配置されている、蓄電素子。
【発明の詳細な説明】
【技術分野】
【０００１】
本発明は、蓄電素子に関する。
【背景技術】
【０００２】
特許文献１に開示された蓄電素子では、電極体を構成する正極及び負極の電極シート（金属箔）の未塗工部（活物質層が形成されていない部分）のうち、セパレータから突出する部分が正極及び負極リードを構成している。正極及び負極リードを構成する電極シートは、それらの端面が集電体に対して溶接されている。
【先行技術文献】
【特許文献】
【０００３】
【特許文献１】特開２０１０−２５７９４５号公報
【発明の概要】
【発明が解決しようとする課題】
【０００４】
電極シートのうち正極及び負極リードを構成する部分は、発電に寄与しない。しかし、特許文献１では、この点を考慮した蓄電素子の高容量化は検討されていない。
【０００５】
また、特許文献１に開示の構成では、正極及び負極リードを構成する電極シートの端面は、線接触的な態様で集電体に接続されるので、電極シートの集電体に対する密接性が十分ではなく、集電体に対する電極シートの溶接部の面積も小さい。そのため、特許文献１の開示の構成では、集電体に対する電極シートの溶接部における電気抵抗が大きい。
【０００６】
本発明は、電極体の集電体に対する溶接部の電気抵抗を低減しつつ、蓄電素子の高容量化を図ることを課題する。
【課題を解決するための手段】
【０００７】
本発明は、それぞれ金属箔に活物質層を設けた正極及び負極の電極シートを、セパレータを介在させて積層してなる電極体であって、前記電極体の端部から突出する前記正極及び負極の電極シートが、それぞれ正極及び負極の電極リードを構成する電極体と、前記電極体の前記端部と対向するように配置された接続部を有する集電体とを備え、前記電極リードを構成する前記電極シートは、前記電極リードの前記電極体の前記端部からの突出方向に押し潰され、前記押し潰された電極シートの側面が前記集電体の前記接続部に溶接されている、蓄電素子を提供する。
【０００８】
電極リードを構成する電極シートは、端面ではなく、側面が集電体の接続部に溶接されているので、溶接面積を確保できる。また、電極リードを構成する電極シートは押し潰されることで、集電体の接続部に対して弾性的に押し付けられる。そのため、集電体の接続部に対する電極シートの密接性が向上する。これらにより、電極リードを構成する電極シートと集電体の接続部との溶接部における電気抵抗が低減される。
【０００９】
電極リードを構成する電極シートを押し潰すことで、電極体を小型化し、それによって蓄電素子を高容量化できる。
【００１０】
例えば、前記電極体は、前記正極及び負極の電極シートを前記セパレータを介在するように重ね合わせて巻回軸回りに巻回してなり、互いに対向する一対の直線部と、これらの直線部を接続するように互いに対向する一対の湾曲部とを備える。
【００１１】
この場合、前記湾曲部の部分の前記電極リードを構成する前記電極シートが、前記電極リードの突出方向に押し潰されて、前記集電体の前記接続部に溶接されてもよい。
【００１２】
湾曲部における押し潰された電極シートが集電体の接続部に押し付けられる弾性的な力は、直線部における同様の弾性的な力よりも強い。従って、集電体の接続部に対する電極シートの密接性をさらに向上し、電極体と集電体の溶接部の電気抵抗をより効果的に低減できる。
【００１３】
また、前記集電体の前記接続部は、前記巻回軸方向から見て前記湾曲部を覆うが前記直線部を露出させるように、前記電極体の前記端部に対して配置されてもよい。
【００１４】
電極体の端部のうち直線部は集電体の接続部に覆われることなく、開放している。開放されている直線部から電解液が電極体の内部に円滑かつ確実に浸透し、良好な電解液浸透性を実現できる。
【００１５】
前記電極体は前記直線部及び前記湾曲部で囲まれた中央隙間部を有し、前記集電体の前記接続部は、前記中央隙間部を開放するように、前記電極体の前記端部に対して配置されてもよい。
【００１６】
前記電極タブを構成する前記電極体の前記集電体の前記接続部に対する溶接部は、例えば直線状である。
【発明の効果】
【００１７】
本発明の蓄電素子では、電極体と集電体の溶接部の電気抵抗を低減しつつ、蓄電素子の高容量化を図ることができる。
【図面の簡単な説明】
【００１８】
【図１】本発明の実施形態に係るリチウムイオン二次電池の縦断面図。
【図２】図１の部分IIの拡大図。
【図３】本発明の実施形態に係るリチウムイオン二次電池の分解斜視図。
【図４】集電体及び電極体の部分側面図。
【図５】蓋の下方から見た斜視図。
【図６】集電体及び電極体の模式的な部分断面図（図２の線VI−VI）。
【図７】電極タブを押し潰す前の電極体の模式的な断面図。
【図８】本発明の実施形態に係るリチウムイオン電池の製造方法を説明するための模式図。
【発明を実施するための形態】
【００１９】
以下、本発明に係る実施形態を添付図面に従って説明する。なお、以下の説明では、必要に応じて特定の方向や位置を示す用語（例えば、「上」、「下」、「側」、「端」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。
【００２０】
図１から図５は、本発明の実施形態に係るリチウムイオン二次電池（以下、単に電池という）１を示す。電池１は、外装体２、電極体３、電極体３を覆う絶縁シート４、正極及び負極の外部電極５Ａ，５Ｂ、正極及び負極の集電体６Ａ，６Ｂ、上側パッキン７Ａ，７Ｂ、及び下側パッキン８Ａ，８Ｂを備える。
【００２１】
図１を参照すると、電池１は外装体２を備える。外装体２は、ケース本体９と、ケース本体９の開口を閉じる蓋１０とを備える。ケース本体９内には、電極体３が収容され、電解液が充填されている。ケース本体９は、長方形板状の底壁部９ａと、底壁部９ａから立ち上がる周壁部９ｂとを備える。周壁部９ｂの上端がケース本体９の開口を画定している。図３及び図５併せて参照すると、蓋１０は、細長い長方形板状であり、長手方向の中央付近に安全弁１１と注液孔１２が設けられている。本実施形態では、ケース本体９と蓋１０は、アルミニウム又はアルミニウム合金製である。
【００２２】
図１、図３、及び図５を参照すると、蓋１０の一端側（これらの図において左側）に正極の外部電極５Ａが配置され、他端側（これらの図において右側）に負極の外部電極５Ｂが配置されている。
【００２３】
正極の外部電極５Ａは、板状体１５と、この板状体１５と一体であって図において下方に突出する軸状部１５ａとを備える。本実施形態では、正極の外部電極５Ａは、アルミニウム又はアルミニウム合金製である。負極の外部電極５Ｂは、板状体１５と、この板状体１５に図において上端が嵌合されたリベット１６とを備える。本実施形態における正極の外部電極５Ａは、板状体１５がアルミニウム又はアルミニウム合金製であり、リベット１６が銅又は銅合金製である。
【００２４】
正極の外部電極５Ａは、軸状部１５ａの先端に拡径部１５ｂを設けることで、上側パッキン７Ａ、下側パッキン８Ａ、及び集電体６Ａの被加締部６ａと共に、蓋１０に加締固定されている。蓋１０の外面と外部電極５Ａとの間に、上側パッキン７Ａが介在し、蓋１０の内面と集電体６Ａの被加締部６ａとの間に下側パッキン８Ａが介在している。同様に、負極の外部電極５Ｂは、リベット１６の先端に拡径部１６ａを設けることで、上側パッキン７Ｂ、下側パッキン８Ｂ、及び集電体６Ｂの被加締部６ａと共に、蓋１０に加締固定されている。蓋１０の外面と外部電極５Ｂとの間に、上側パッキン７Ｂが介在し、蓋１０の内面と集電体６Ｂの被加締部６ａとの間に下側パッキン８Ｂが介在している。これらの加締固定により、正負の集電体６Ａ，６Ｂの被加締部６ａは、正負の外部電極５Ａ，５Ｂにそれぞれ電気的に接続されている。
【００２５】
図７を併せて参照すると、電極体３は、いずれも一定幅の長尺な帯状である、正極及び負極電極シート１７Ａ，１７Ｂと微多孔性樹脂シートからなる２枚のセパレータ１８とを重ね合わせて巻回したものである。正極電極シート１７Ａの一つの層と、それに隣接する負極電極シート１７Ｂの一つの層との間には、２枚のセパレータ１８のうちのいずれか一方が介在している。正負の電極シート１７Ａ，１７Ｂ及び２枚のセパレータ１８の巻回の軸線（巻回軸）は、図１及び図３において符号Ａで概念的に示されている。電極体３は、巻回軸Ａが概ねケース本体９の底壁部９ａと蓋１０とに沿って図において水平方向に延びる姿勢で、ケース本体９内に収容されている。
【００２６】
図３に示すように、巻回軸Ａが延びる方向から見た電極体３の端部３ａ，３ｂは、互いに対向する一対の直線部２１Ａ，２１Ｂと、これらの直線部２１Ａ，２１Ｂを接続するように互いに対向する一対の湾曲部２２Ａ，２２Ｂと、直線部２１Ａ，２１Ｂと湾曲部２２Ａ，２２Ｂで囲まれた中央隙間部２３を有する。中央隙間部２３は端部３ａ，３ｂ間を貫通している。直線部２１Ａ，２１Ｂは、設計上において直線状に延びる部分である。実際に外装体２に電極体３が収容された状態において、直線部２１Ａ，２１Ｂは、完全な直線状に配置されるとは限らず、全体的には直線に近い形状となるように撓んだ状態で配置されることもある。
【００２７】
図７を参照すると、正極電極シート１７Ａは、帯状の正極金属箔２４Ａと、この正極金属箔２４Ａの両面に形成された正極活物質層２５Ａとを備える。正極電極シート１７Ａの幅方向の一方（図７において右側）の端部では、正極活物質層２５Ａが正極金属箔２４Ａの側縁まで設けられている。正極電極シート１７Ａの幅方向の他方（図７において左側）の端部には、正極活物質層２５Ａを設けずに、正極金属箔２４Ａを露出させた正極未塗工部２６Ａが設けられている。
【００２８】
負極電極シート１７Ｂは、帯状の負極金属箔２４Ｂと、この負極金属箔２４Ｂの両面に形成された負極活物質層２５Ｂとを備える。負極電極シート１７Ｂの幅方向の一方（図７において左側）の端部では、負極活物質層２５Ｂが負極金属箔２４Ｂの側縁まで設けられている。負極電極シート１７Ｂの幅方向の他方（図７において右側）の端部には、負極活物質層２５Ｂを設けずに、負極金属箔２４Ｂを露出させた負極未塗工部２６Ｂが設けられている。正極電極シート１７Ａの幅よりも負極電極シート１７Ｂの幅が大きく、セパレータ１８の幅は負極電極シート１７Ｂの幅より大きい。また、負極活物質層２５Ｂの幅は、正極活物質層２５Ａの幅よりも大きい。
【００２９】
２枚のセパレータ１８は、幅方向の一方の両端部の位置が揃えられている。正極電極シート１７Ａと負極電極シート１７Ｂは、正極及び負極未塗工部２６Ａ，２６Ｂが２枚のセパレータ１８の幅方向の両端部の一方からそれぞれ突出するように、セパレータ１８に対して幅方向の位置をずらしている。正極未塗工部２６Ａはセパレータ１８の図７において左側の端部から突出し、負極未塗工部２６Ｂはセパレータ１８の図７において右側の端部から突出している。このようにセパレータ１８に対して、正極及び負極電極シート１７Ａ，１７Ｂの幅方向の位置をずらすことで、電極体３の端部３ａ，３ｂから突出する正極リード２７Ａと負極リード２７Ｂが形成されている。正極リード２７Ａは正極未塗工部２６Ａが複数層重なることで形成され、負極リード２７Ｂは負極未塗工部２６Ｂが複数層重なることで形成されている。
【００３０】
集電体６Ａ，６Ｂは、前述のように外部電極５Ａ，５Ｂと共に蓋１０に加締固定された被加締部６ａと、この被加締部６ａの一端（ケース本体９の周壁部９ｂ側の端部）から外装体２のケース本体９の内部に向けて図において下向きに突出する接続部６ｂとを備える。集電体６Ａ，６Ｂの接続部６ｂは、電極体３の端部３ａ，３ｂと対向するように配置されている。より具体的には、集電体６Ａ，６Ｂの接続部６ｂは、正極リード２７Ａ及び負極リード２７Ｂのうち、蓋１０側（図において上側）の湾曲部２２Ａに相当する部分に対向するように配置されている。
【００３１】
図６を参照すると、正極リード２７Ａを構成する正極未塗工部２６Ａは、正極リード２７Ａの突出方向に電極体３の本体（電極体３のうち正極及び負極リード２７Ａ，２７Ｂを除く部分）に向けて押し潰されている。同様に、負極リード２７Ｂを構成する負極電未塗工部２６Ｂも、負極リード２７の突出方向に電極体３の本体に向けて押し潰されている。正極及び負極電極リード２７Ａ，２７Ｂを構成する正極及び負極未塗工部２６Ａ，２６Ｂは、端部３ａ，３ｂの全体、つまり直線部２１Ａ，２１Ｂと湾曲部２２Ａ，２２Ｂの両方で押し潰されている。
【００３２】
図７を併せて参照すると、正極及び負極リード２７Ａ，２７Ｂの押し潰し量は、例えば押し潰し前の電極体３の全幅Ｗ１が１５５ｍｍであるとすると、この全幅Ｗ１が１４２ｍｍ程度になるように設定できる。この場合、正極活物質層２５Ａの幅が１３１ｍｍで正極未塗工部２６Ａの幅が１２ｍｍ、負極活物質層２５Ｂの幅が１３７ｍｍで負極未塗工部２６Ｂの幅が９ｍｍ、正極及び負極リード２７Ａ，２７Ｂの幅がそれぞれ９ｍｍとすると、正極及び負極リード２７Ａ，２７Ｂがそれぞれ２．５ｍｍまで押し潰されることになる。図７において符号Ｒで示す正極活物質層２５Ａと負極未塗工部２６Ｂがオーバーラップしている領域については、正極活物質層２５Ａの損傷による短絡を防止するため、負極リード２７Ａの押し潰しは行わない。
【００３３】
図７に示すように、押し潰された正極及び負極リード２７Ａ，２７Ｂの正極及び負極未塗工部２６Ａ，２６Ｂは、集電体６Ａ，６Ｂの接続部６ｂに対して弾性的に押し付けられている。押し潰された正極及び負極未塗工部２６Ａ，２６Ｂは、それらの端面２６ａが集電体６Ａ，６Ｂの接続部６ｂに対して押し付けられるのではなく、端面２６ａ付近の一方の側面２６ｂが集電体６Ａ，６Ｂの接続部６ｂに対して押し付けられている。言い換えれば、押し潰された正極及び負極未塗工部２６Ａ，２６Ｂの端面２６ａ付近の側面２６ｂが一つの面となって集電体６Ａ，６Ｂの接続部６ｂに弾性的に押し付けられる態様で、正極及び負極未塗工部２６Ａ，２６Ｂが接続部６ｂに接触している。
【００３４】
図３及び図４に溶接線（溶接部）２８を示すように、集電体６Ａ，６Ｂの接続部６ｂに対して弾性的に押し付けられている正極及び負極リード２７Ａ，２７Ｂを構成する未塗工部２６Ａ，２６Ｂは、集電体６Ａ，６Ｂの接続部６ｂに溶接（本実施形態ではレーザ溶接）されている。本実施形態では、溶接線２８は水平方向に延びる概ね平行な複数の直線状である。しかし、溶接線２８の形状は特に限定されず、多角形、曲線、円形、多角形等の他の図形であってもよい。
【００３５】
正極及び負極電極リード２７Ａ，２７Ｂを構成する未塗工部２６Ａ，２６Ｂは、端面２６ａではなく、側面２６ｂが集電体６Ａ，６Ｂの接続部６ｂに溶接されているので、溶接面積を確保できる。また、正極及び負極電極リード２７Ａ，２７Ｂを構成する未塗工部２６Ａ，２６Ｂは、正極及び負極電極リード２７Ａ，２７Ｂの突出方向に電極体３の本体に向けて押し潰されることで、接続部６ｂに弾性的に押し付けられている。そのため、集電体６Ａ，６Ｂの接続部６ｂに対する正極及び負極電極リード２７Ａ，２７Ｂを構成する未塗工部２６Ａ，２６Ｂの密接性が向上する。これらにより、正極及び負極電極リード２７Ａ，２７Ｂを構成する未塗工部２６Ａ，２６Ｂと集電体６Ａ，６Ｂの接続部６ｂとの溶接部における電気抵抗が低減される。
【００３６】
正極及び負極電極リード２７Ａ，２７Ｂを構成する未塗工部２６Ａ，２６Ｂを、正極及び負極電極リード２７Ａ，２７Ｂの突出方向に電極体３の本体に向けて押し潰している。そのため、電極体３の全幅（図３の符号Ｗ２参照）は、押し潰し前の全幅Ｗ１（図７参照）よりも狭い。このように、正極及び負極電極リード２７Ａ，２７Ｂを構成する未塗工部２６Ａ，２６Ｂを押し潰すことで、電極体３を小型化でき、それによって電池１の高容量化を図ることができる。
【００３７】
以上のように、本実施形態の電池１は、電極体３と集電体６Ａ，６Ｂの溶接部の電気抵抗を低減しつつ、電池１の高容量化を図ることができる。
【００３８】
前述のように、正極及び負極電極リード２７Ａ，２７Ｂを構成する未塗工部２６Ａ，２６Ｂは、電極体３の端部３ａ，３ｂの湾曲部２２Ａ，２２Ｂだけでなく、直線部２１Ａ，２１Ｂでも押し潰されている。直線部２１Ａ，２１Ｂでは、複数層の未塗工部２６Ａ，２６Ｂが、正極及び負極電極リード２７Ａ，２７Ｂの突出方向に押し潰されるだけでなく、互いに平行な状態を維持しつつ巻回軸Ａに向けて倒れ込む傾向がある。これに対して、湾曲部２２Ａ，２２Ｂでは、直線部２１Ａ，２１Ｂと比較すると、複数層の未塗工部２６Ａ，２６Ｂが巻回軸Ａに向けて倒れ込む程度が低く、正極及び負極電極リード２７Ａ，２７Ｂの突出方向に大きく押し潰される傾向がある。このような未塗工部２６ＢＡ，２６Ｂの変形態様の相違に起因して、湾曲部２２Ａ，２２Ｂの方が直線部２１Ａ，２１Ｂよりも押し潰された未塗工部２６Ａ，２６Ｂの弾性的な反発力が強い。図４に最も明瞭に示すように、集電体６Ａ，６Ｂの接続部６ｂは、電極体３の端部３ａ，３ｂのうち図において上側の湾曲部２２Ａの部分にのみ対向しており、直線部２１Ａ，２１Ｂには対向しておらず、湾曲部２２Ａの押し潰された未塗工部２６Ａ，２６Ｂが集電体６Ａ，６Ｂの接続部６ｂに対して溶接されている。湾曲部２２Ａにおける押し潰された未塗工部２６Ａ，２６Ｂが集電体６Ａ，６Ｂの接続部６ｂに押し付けられる弾性的な力は、直線部２１Ａ，２１Ｂにおける同様の弾性的な力よりも強い。従って、湾曲部２２Ａにおける押し潰された未塗工部２１Ａ，２１Ｂを集電体６Ａ，６Ｂの接続部６ｂに溶接することで、集電体６Ａ，６Ｂの接続部６ｂに対する未塗工部２６Ａ，２６Ｂの密接性をさらに向上し、電極体３と集電体６Ａ，６Ｂの溶接部の電気抵抗をより効果的に低減できる。
【００３９】
図４に最も明瞭に示すように、電極体３の端部３ａ，３ｂのうち直線部２１Ａ，２１Ｂは集電体６Ａ，６Ｂの接続部６ｂに覆われることなく露出している。直線部２１Ａ，２１Ｂでは、正極及び負極リード２７Ａ，２７Ｂを構成する未塗工部２６Ａ，２６Ｂは押し潰されているものの、複数層の未塗工部２６Ａ，２６Ｂの間には隙間がある。言い換えれば、電極体３の端部３ａ，３ｂのうち直線部２１Ａ，２１Ｂは開放している。電解液をケース本体９に注入する際には、開放されている直線部２１Ａ，２１Ｂから電解液が電極体３の内部に円滑かつ確実に浸透するので、良好な電解液浸透性が得られる。
【００４０】
図３及び図４に示すように、集電体６Ａ，６Ｂの接続部６ｂの図において下端は、電極体３の中央隙間部２３の図において上端よりも上方に位置している。言い換えれば、集電体６Ａ，６Ｂの接続部６ｂは、電極体３の中央隙間部２３を開放するように電極体３の端部３ａ，３ｂに対して配置されている。このように開放された中央隙間部２３も電解液の注入時に電極体３への電解液の浸透に寄与するので、より良好な電解液浸透性が得られる。
【００４１】
例えば、電極体３の直線部２１Ａ，２１Ｂをクリップで束ねて集電体に溶接した電池（比較例）と比較すると、本実施形態の電池１は、極めて良好な電解液浸透性を有する。一例では、比較例（３４Ａｈ）の電解液の注液に要する時間（注液時間）が１７０秒で、比較例（３８Ａｈ）の注液時間が２８８秒であるのに対し、本実施形態の電池１（３８Ａｈ）の注液時間は１３０秒である。
【００４２】
図８を参照して、本実施形態に係る電池１の製造方法の一例を説明する。図において矢印Ｙ１で示すように、電極体３の両方の端部３ａ，３ｂに板状の治具２９を押し付けて、正極及び負極リード２７Ａ，２７Ｂを構成する未塗工部２６Ａ，２６Ｂを正極及び負極リード２７Ａ，２７Ｂの突出方向に電極体３の本体に向けて押し潰す。次に、蓋１０（外部電極５Ａ，５Ｂ、上側パッキン７Ａ，７Ｂ、下側パッキン８Ａ，８Ｂ、及び集電体６Ａ，６Ｂは固定済み）を、矢印Ｙ２で示すように、電極体３に装着する。この際、治具２９を集電体６Ａ，６Ｂの接続部６ｂよりも内側に位置させる。言い換えれば、集電体６Ａ，６Ｂの接続部６ｂと正極及び負極リード２７Ａ，２７Ｂの間に治具２９を介在させる。その後、治具２９を集電体６Ａ，６Ｂの接続部６ｂと正極及び負極リード２７Ａ，２７Ｂの間から引き抜く。この引抜が完了すると、正極及び負極リード２７Ａ，２７Ｂを構成する押し潰された未塗工部２６Ａ，２６Ｂが集電体６Ａ，６Ｂの接続部６ｂに対して弾性的に押し付けられる。この状態で正極及び負極リード２７Ａ，２７Ｂと集電体６Ａ，６Ｂの接続部６ｂをレーザ溶接により溶接する。
【００４３】
本発明は、リチウムイオン電池を含む非水電解質二次電池のような二次電池に限定されず、一次電池、キャパシタを含む種々の蓄電素子に適用できる。また、電極体は実施形態のような巻回型に限定されず、積層型であってもよい。
【符号の説明】
【００４４】
１  電池
２  外装体
３  電極体
３ａ，３ｂ  端部
４  絶縁シート
５Ａ，５Ｂ  外部電極
６Ａ，６Ｂ  集電体
６ａ  被加締部
６ｂ  接続部
７Ａ，７Ｂ  上側パッキン
８Ａ，８Ｂ  下側パッキン
９  ケース本体
９ａ  底壁部
９ｂ  周壁部
１０  蓋
１１  安全弁
１２  注液孔
１５  板状体
１５ａ  軸状部
１５ｂ  拡径部
１６  リベット
１６ａ  拡径部
１７Ａ  正極電極シート
１７Ｂ  負極電極シート
１８  セパレータ
２１Ａ，２１Ｂ  直線部
２２Ａ，２２Ｂ  湾曲部
２３  中央隙間部
２４Ａ  正極金属箔
２４Ｂ  負極金属箔
２５Ａ  正極活物質層
２５Ｂ  負極活物質層
２６Ａ  正極未塗工部
２６Ｂ  負極未塗工部
２６ａ  端面
２６ｂ  側面
２７Ａ  正極リード
２７Ｂ  負極リード
２８  溶接線（溶接部）
２９  治具
Ａ  巻回軸
Ｗ１  電極体の全幅
Ｒ  正極活物質層と負極未塗工部がオーバーラップしている領域
【図１】
0006520098.tif 000002
【図２】
0006520098.tif 000003
【図３】
0006520098.tif 000004
【図４】
0006520098.tif 000005
【図５】
0006520098.tif 000006
【図６】
0006520098.tif 000007
【図７】
0006520098.tif 000008
【図８】
0006520098.tif 000009